(57)【要約】【課題】  利用者が図書識別情報を入力することなく当該図書の付加情報を得ることができ、利用者の利便性の向上を図れる図書付設付加情報情報記憶取出装置を得る。【解決手段】  図書館の図書の裏表紙に図書付設付加情報情報記憶取出装置としての情報記憶手段１１１を有するＩＣチップ１１０を貼りつける。図書を利用した人は、必要に応じて、書評や感想、推薦文、読んだ人の属性（性別、年齢、職業など）等の付加情報を入力手段１２１から書込手段１２２を介して非接触で情報記憶手段１１１に入力し、蓄積する。図書を借りようとする人は、その場で読込手段１２３により情報記憶手段１１１に蓄積された付加情報を読み込み、表示手段１２４に表示させ、図書を借りるときの参考とすることができる。【選択図】        図１
2006293872.tif 000002
【特許請求の範囲】
【請求項１】
図書に設けられるものであって、前記図書に関する付加情報を入力または参照する図書情報入力参照装置から入力される前記付加情報を記憶する付加情報記憶手段と、前記図書情報入力参照装置からの参照要求に応じて前記付加情報記憶手段に記憶された前記付加情報を取出して前記図書情報入力参照装置に返す付加情報取出手段とを備えた図書付設付加情報記憶取出装置。
【請求項２】
前記図書情報入力参照装置から電波により電力の供給を受けて動作することを特徴とする請求項１に記載の図書付設付加情報記憶取出装置。
【請求項３】
図書に設けられるものであって、前記図書の図書識別情報を保持する図書識別情報保持手段と、前記図書識別情報保持手段から前記図書識別情報を取得する図書識別情報取得手段と、前記図書に関する付加情報を入力または参照する図書情報入力参照装置と前記図書識別情報ごとに前記付加情報を記憶する図書付加情報記憶装置との間の通信を中継する中継手段とを備え、該中継手段は前記図書情報入力参照装置からの情報に前記図書識別情報取得手段により取得した前記図書識別情報を付加して前記図書付加情報記憶装置へ送信する図書付設付加情報記憶取出装置。
【請求項４】
前記図書付加情報記憶装置との間の通信は、インタネットを介して行うものであることを特徴とする請求項３に記載の図書付設付加情報記憶取出装置。
【請求項５】
前記図書付加情報記憶装置との間の通信を暗号化及び複合化する暗号化復号化手段を設けたことを特徴とする請求項３に記載の図書付設付加情報記憶取出装置。
【請求項６】
請求項１または請求項３に記載の図書付設付加情報記憶取出装置に付加情報を入力または参照する図書情報入力参照装置であって、前記図書付設付加情報記憶取出装置に送る前記付加情報を入力する付加情報入力手段と、前記図書付設付加情報記憶取出装置に前記付加情報の送信要求を送る情報送信要求手段とを備えた図書情報入力参照装置。
【請求項７】
図書に設けられた図書識別情報を保持する図書識別情報保持手段から前記図書識別情報を取得する図書識別情報取得手段と、前記図書に関する付加情報を入力する付加情報入力手段と、前記図書識別情報ごとに前記付加情報を記憶する図書付加情報記憶装置との間の通信を行う通信手段と、前記図書付加情報記憶装置に記憶された前記付加情報の送信要求を送る情報送信要求手段とを備え、前記通信手段が前記付加情報入力手段または前記情報送信要求手段からの情報に前記図書識別情報取得手段により取得した前記図書識別情報を付加して前記図書付加情報記憶装置へ送信する図書情報入力参照装置。
【請求項８】
前記図書付加情報記憶装置との間の通信は、インタネットを介して行うものであることを特徴とする請求項７に記載の図書情報入力参照装置。
【請求項９】
前記図書付加情報記憶装置との間の通信を暗号化及び複合化する暗号化復号化手段を設けたことを特徴とする請求項７に記載の図書情報入力参照装置。
【請求項１０】
請求項３に記載の図書付設付加情報記憶取出装置または請求項７に記載の図書情報入力参照装置と通信する図書付加情報記憶装置であって、前記図書付設付加情報記憶取出装置または前記図書情報入力参照装置との間の通信を行う通信手段と、前記図書識別情報ごとに前記付加情報を記憶する付加情報記憶手段と、前記情報送信要求手段からの前記付加情報の送信要求により前記付加情報記憶手段から前記付加情報を取り出す付加情報取出手段とを備えた図書付加情報記憶装置。
【請求項１１】
前記図書付設付加情報記憶取出装置または前記図書情報入力参照装置との間の通信を暗号化及び複合化する暗号化復号化手段を設けたことを特徴とする請求項１０に記載の図書付加情報記憶装置。
【請求項１２】
前記付加情報記憶手段に記憶された前記付加情報を情報処理して別の形の付加情報として出力する情報処理手段を設けたことを特徴とする請求項１０に記載の図書付加情報記憶装置。
【発明の詳細な説明】
【技術分野】
【０００１】
本発明は、図書付設付加情報記憶取出装置、図書情報入力参照装置及び図書付加情報記憶装置に関する。
【背景技術】
【０００２】
従来、図書館の図書管理装置は、図書識別情報や図書が借りられた日付などの図書管理情報を蓄積してる（例えば、特許文献１参照）。
【０００３】
【特許文献１】特開平２００４−２１０４４６号公報（段落番号００１８、００２３及び図１）
【発明の開示】
【発明が解決しようとする課題】
【０００４】
従来の図書管理装置は以上のように構成され、図書の貸出などの図書管理情報が保存されており、盗難防止や貸出業務の簡素化には利用できるが、利用者に対してその図書が例えば面白い本なのかといった付加情報を提供することができなかった。
【０００５】
この発明は上記のような問題点を解決するためになされたものであり、利用者が容易に当該図書の付加情報を得ることができ、利用者の利便性を向上させることができる図書付設付加情報記憶取出装置、図書情報入力参照装置及び図書付加情報記憶装置
【０００６】
この発明は上記のような問題点を解決するためになされたものであり、利用者が図書識別情報を入力することなく当該図書の付加情報を得ることができ、利用者の利便性を向上させることができる図書付設付加情報記憶取出装置、図書情報入力参照装置及び図書付加情報記憶装置を得ることを目的とする。
を得ることを目的とする。
【課題を解決するための手段】
【０００７】
この発明に係る図書付設付加情報記憶取出装置は、図書に設けられるものであって、図書に関する付加情報を入力または参照する図書情報入力参照装置から入力される付加情報を記憶する付加情報記憶手段と、図書情報入力参照装置からの参照要求に応じて付加情報記憶手段に記憶された付加情報を取出して図書情報入力参照装置に返す付加情報取出手段とを備えたものである。
【０００８】
そして、この発明に係る図書付設付加情報記憶取出装置は、図書に設けられるものであって、図書の図書識別情報を保持する図書識別情報保持手段と、図書識別情報保持手段から図書識別情報を取得する図書識別情報取得手段と、図書に関する付加情報を入力または参照する図書情報入力参照装置と図書識別情報ごとに付加情報を記憶する図書付加情報記憶装置との間の通信を中継する中継手段とを備え、中継手段は図書情報入力参照装置からの情報に図書識別情報取得手段により取得した図書識別情報を付加して図書付加情報記憶装置へ送信するものである。
【０００９】
さらに、この発明に係る図書情報入力参照装置は、図書付設付加情報記憶取出装置に付加情報を入力または参照する図書情報入力参照装置であって、図書付設付加情報記憶取出装置に送る付加情報を入力する付加情報入力手段と、図書付設付加情報記憶取出装置に付加情報の送信要求を送る情報送信要求手段とを備えたものである。
【００１０】
また、この発明に係る図書情報入力参照装置は、図書に設けられた図書識別情報を保持する図書識別情報保持手段から図書識別情報を取得する図書識別情報取得手段と、図書に関する付加情報を入力する付加情報入力手段と、図書識別情報ごとに付加情報を記憶する図書付加情報記憶装置との間の通信を行う通信手段と、図書付加情報記憶装置に記憶された付加情報の送信要求を送る情報送信要求手段とを備え、通信手段が付加情報入力手段または情報送信要求手段からの情報に図書識別情報取得手段により取得した図書識別情報を付加して図書付加情報記憶装置へ送信するものである。
【００１１】
そして、この発明に係る図書付加情報記憶装置は、図書付設付加情報記憶取出装置または図書情報入力参照装置と通信する図書付加情報記憶装置であって、図書付設付加情報記憶取出装置または図書情報入力参照装置との間の通信を行う通信手段と、図書識別情報ごとに付加情報を記憶する付加情報記憶手段と、情報送信要求手段からの付加情報の送信要求により付加情報記憶手段から付加情報を取り出す付加情報取出手段とを備えたものである。
【発明の効果】
【００１２】
この発明に係る図書付設付加情報記憶取出装置においては、図書に設けられるものであって、図書に関する付加情報を入力または参照する図書情報入力参照装置から入力される付加情報を記憶する付加情報記憶手段と、図書情報入力参照装置からの参照要求に応じて付加情報記憶手段に記憶された付加情報を取出して図書情報入力参照装置に返す付加情報取出手段とを備えたので、図書識別情報を入力することなく当該図書に関する付加情報を得ることができ、利用者の利便性を向上させることができる。
【００１３】
そして、この発明に係る図書付設付加情報記憶取出装置においては、図書に設けられるものであって、図書の図書識別情報を保持する図書識別情報保持手段と、図書識別情報保持手段から図書識別情報を取得する図書識別情報取得手段と、図書に関する付加情報を入力または参照する図書情報入力参照装置と図書識別情報ごとに付加情報を記憶する図書付加情報記憶装置との間の通信を中継する中継手段とを備え、中継手段は図書情報入力参照装置からの情報に図書識別情報取得手段により取得した図書識別情報を付加して図書付加情報記憶装置へ送信するので、図書識別情報を入力することなく当該図書に関する付加情報を得ることができ、利用者の利便性を向上させることができる。
【００１４】
さらに、この発明に係る図書情報入力参照装置においては、図書付設付加情報記憶取出装置に付加情報を入力または参照する図書情報入力参照装置であって、図書付設付加情報記憶取出装置に送る付加情報を入力する付加情報入力手段と、図書付設付加情報記憶取出装置に付加情報の送信要求を送る情報送信要求手段とを備えたので、図書識別情報を入力することなく当該図書に関する付加情報を得ることができ、利用者の利便性を向上させることができる。
【００１５】
また、この発明に係る図書情報入力参照装置においては、図書に設けられた図書識別情報を保持する図書識別情報保持手段から図書識別情報を取得する図書識別情報取得手段と、図書に関する付加情報を入力する付加情報入力手段と、図書識別情報ごとに付加情報を記憶する図書付加情報記憶装置との間の通信を行う通信手段と、図書付加情報記憶装置に記憶された付加情報の送信要求を送る情報送信要求手段とを備え、通信手段が付加情報入力手段または情報送信要求手段からの情報に図書識別情報取得手段により取得した図書識別情報を付加して図書付加情報記憶装置へ送信するので、図書識別情報を入力することなく当該図書に関する付加情報を得ることができ、利用者の利便性を向上させることができる。
【００１６】
そして、この発明に係る図書付加情報記憶装置においては、図書付設付加情報記憶取出装置または図書情報入力参照装置と通信する図書付加情報記憶装置であって、図書付設付加情報記憶取出装置または図書情報入力参照装置との間の通信を行う通信手段と、図書識別情報ごとに付加情報を記憶する付加情報記憶手段と、情報送信要求手段からの付加情報の送信要求により付加情報記憶手段から付加情報を取り出す付加情報取出手段とを備えたので、図書識別情報を入力することなく当該図書に関する付加情報を得ることができ、利用者の利便性を向上させることができる。
【発明を実施するための最良の形態】
【００１７】
実施の形態１．
図１〜図３は、この発明を実施するための実施の形態１を示すものであり、図１は図書情報処理装置の構成を示す構成図、図２、図３は動作を説明するためのフローチャートである。図１において、図書情報処理装置１００は、ＩＣチップ１１０とアクセス端末１２０を有する。ＩＣチップ１１０は、内蔵のアンテナを使ってアクセス端末１２０との間で電力供給およびデータ通信が行われるいわゆるＲＦ（ｒａｄｉｏ  ｆｅｒｅｑｅｎｃｙ）タグと呼ばれるものであり、情報蓄積手段１１１を有し、図書の例えば裏表紙に付設されている。アクセス端末１２０は、入力手段１２１、書込手段１２２、読込手段１２３、表示手段１２４を有する。そして、アクセス端末１２０を利用してＩＣチップ１１０と無線で情報のやりとりをすることにより情報記憶手段１１１に蓄積されている付加情報にアクセスできる。
【００１８】
次に、図２、図３のフローチャートにより動作を説明する。まず、付加情報の書込について、図２のフローチャートにて説明する。図２において、図書を借りた利用者は、図書を読み終わって返却する際に情報入力手段１２１を用いて書評や感想、推薦文、読んだ人の属性（性別、年齢、職業など）等の付加情報を入力する（ステップＳ１１）。ステップＳ１１で入力された付加情報は、書込手段１２２によってＩＣチップ１１０の情報蓄積手段１１１に書き込まれ、蓄積される（ステップＳ１２）。
【００１９】
図書を借りようとする利用者が付加情報を読み出す場合は、図３のフローチャートにおいて、アクセス端末１２０の読込手段１２３から情報蓄積手段１１１に付加情報参照要求を送り情報蓄積手段１１１が自己が記憶している付加情報を取り出して読込手段１２３に送ることにより読込手段１２３に読み込む（ステップＳ１６）。読み込まれた付加情報は、表示手段１２４に表示される（ステップＳ１７）。利用者は、表示された情報から、借りようとしている図書の付加情報、例えばその図書が過去どのような人が読み、どのような書評、感想が記録されているかなどを見ることができる。
なお、アクセス端末１２０における上記のよう書込や読込、表示等の制御はアクセス端末１２０に内蔵された図示しないマイクロコンピュータによって実現されている。
【００２０】
以上のようにこの実施の形態によれば、図書を借りようとする利用者は、過去にどのような人がどのような感想を残しているかなどの付加情報を、図書識別情報を入力することなくその場で容易に知ることができ、その本を借りるかどうか判断するための参考情報とすることが可能になり、利用者に対するサービスの向上を図ることができる。また、アクセス端末１２０から当該図書に付設されたＩＣチップ１１０に対して直接書込や読込ができるので、図書ＩＤ情報などの図書識別情報の入力を要することなく情報蓄積手段１１１にアクセス可能となり、利用者の利便性が向上する。
【００２１】
実施の形態２．
図４〜図７は、実施の形態２を示すものであり、図４は図書情報処理装置の構成を示す構成図、図５〜図７は動作を説明するためのフローチャートである。図４において、図書情報処理装置２００は、ＩＣチップ２１０とアクセス端末１２０とＰＣサーバ２３０を有する。ＩＣチップ２１０は、図書ＩＤ情報管理装置２１１と中継装置２１５とを有し、図書の裏表紙に貼付されている。図書ＩＤ情報管理装置２１１は、図書識別情報としての図書ＩＤ情報が記録された図書ＩＤ情報保持手段２１２と、この図書ＩＤ情報を読み出すすなわち取得する図書ＩＤ情報取得手段２１２を有する。
【００２２】
中継装置２１５は、送受信手段２１６を有する。アクセス端末１２０は、図１に示したものと同様のものである。ＰＣサーバ２３０は、送受信手段２３１、要求内容判別手段２３２、情報蓄積手段２３３、情報処理手段としての統計処理手段２３４を有する。アクセス端末１２０からの付加情報読込・書込要求を中継装置２１５を介してＰＣサーバ２３０に転送することでＰＣサーバ２３０に蓄積されている付加情報にアクセスできる。
【００２３】
また、ＰＣサーバ２３０は、アクセス端末１２０から中継装置２１５の送受信手段２１６を介して転送された利用者要求の内容を要求内容判別手段２３２により判別して、当該要求内容に応じて情報蓄積手段２３３にアクセスしたり、付加情報を統計処理手段２３４を用いて統計的な処理をして別の形の付加情報としてアクセス端末１２０に送る。
【００２４】
次に、動作を図５〜図７のフローチャートにより説明する。
まず、付加情報の入力であるが、図５において図書を借りた利用者は、図書を読み終わって返却する際に入力手段１２１を用いて書評や感想、推薦文、入力者の属性等の付加情報を入力する（ステップＳ２１）。入力された付加情報は、アクセス端末１２０の書込手段１２２から中継装置２１５の送受信手段２１６に送信される（ステップＳ２２）。送信された付加情報は、図書ＩＤ情報取得手段２１３が図書ＩＤ情報保持手段２１２から取得した図書ＩＤ情報を付して送受信手段２１６からＰＣサーバ２３０の送受信手段２３１へ転送され（ステップＳ２３）、要求内容判別手段２３２によりその内容が判別される（ステップＳ２４）。書込要求であれば、要求内容判別手段２３２によりＰＣサーバ２３０の情報蓄積手段２３３に書き込まれ、蓄積される（ステップＳ２５）。ステップＳ２４において、書込要求でなければ何もしない。
【００２５】
次に、図書を借りようとする利用者が、ＰＣサーバ２３０の情報蓄積手段２３３に蓄積された付加情報を得ようとする場合を、図６のフローチャートにより説明する。図６において、入力手段１２１から付加情報の要求を入力する（ステップＳ３１）。入力された利用者要求は、書込手段１２２を介して、利用者が今手にとっている図書に設けられた中継装置２１５の送受信手段２１６に無線で送られる（ステップＳ３２）。送信された利用者要求は、図書ＩＤ情報取得手段２１３が図書ＩＤ情報保持手段２１２から取得した図書ＩＤ情報を付して送受信手段２１６及び送受信手段２３１を介して要求内容判別手段２３２に転送され（ステップＳ３３）、要求内容判別手段２３２によりその内容が判別される（ステップＳ３４）。
【００２６】
利用者要求の内容が、付加情報の要求であれば、要求内容判別手段２３２により情報蓄積手段２３３に蓄積されている当該図書ＩＤ情報に対応する付加情報を、送受信手段２３１を介して中継装置２１５の送受信手段２１６に転送する（ステップＳ３５）。送受信手段２１６に送信された付加情報は、読込手段１２３によって読み込まれ（ステップＳ３６）、表示手段１２４に表示される（ステップＳ３７）。ステップＳ３４において、付加情報が要求されていなければ何もしない。
【００２７】
次に、図書を借りようとする利用者が、ＰＣサーバ２３０の情報蓄積手段２３３に蓄積された付加情報を所定の処理要領に従って例えば統計的な処理をした処理データを得ようとする場合を、図７のフローチャートにより説明する。図７において、入力手段１２１からどの様な統計的な処理データが欲しいのかを要求する（ステップＳ４１）。入力された利用者要求は、書込手段１２２を介して中継装置２１５の送受信手段２１６に送られる（ステップＳ４２）。送信された利用者要求は、図書ＩＤ情報保持手段２１２に記録された図書ＩＤ情報を付して送受信手段２１６から送受信手段を介して要求内容判別手段２３２に転送され（ステップＳ４３）、その内容が判別される（ステップＳ４４）。
【００２８】
利用者要求の内容が、付加情報を統計処理した処理データの要求であれば、その要求された内容に応じて統計処理手段２３４により情報蓄積手段２３３に蓄積されている付加情報を統計的に処理する（ステップＳ４５）。得られた処理データを送受信手段２３１を介して中継装置２１５の送受信手段２１６に転送する（ステップＳ４６）。送受信手段２１６に送信された処理データは、読込手段１２３によって読み込まれ（ステップＳ４７）、表示手段１２４に表示される（ステップＳ４９）。ステップＳ４４において、統計的な処理データが要求されていなければ何もしない。
なお、ＰＣサーバ２３０における上記のような付加情報の書込や読込、統計的な処理等はＰＣサーバ２３０に内蔵された図示しないマイクロコンピュータによって実行される。
【００２９】
以上のようにこの実施の形態によれば、図書を借りようとする利用者は過去どのような人が、どのような感想を残しているかを、図書識別情報を入力することなくその場で容易に知ることができるためその図書を借りるかどうかの参考情報とすることができる。また、その図書がどのような年代の人に多く読まれているかといった統計的な処理データを得ることができるため、その図書を借りるかどうかの参考情報とすることが可能になる。また、利用者は図書ＩＤ情報を入力することを要しないので、利便性が高くなる。なお、以上で述べた統計処理の他に、条件を指定しての検索例えば「２０歳代の男性の感想」という条件で検索するなどの情報処理をすることもできる。
【００３０】
実施の形態３．
図８は、実施の形態３である図書情報処理装置の構成を示す構成図である。図８において、図書情報処理装置３００は、中継装置２１５がインタネット３９０を介してＰＣサーバ２３０に接続されている。その他の構成については、図４に示した実施の形態２と同様のものであるので、相当するものに同じ符号を付して説明を省略する。その動作については、中継装置２１５とＰＣサーバ２３０がインタネット３９０を介して情報のやりとりをする以外は、図４の実施の形態と同様である。すなわち、アクセス端末１２０から中継装置２１５の送受信手段２１６及びインタネット３９０を介してＰＣサーバ２３０へ付加情報読込・書込要求を転送することでＰＣサーバ２３０に蓄積されている付加情報にアクセスできる。
【００３１】
また、ＰＣサーバ２３０は、アクセス端末１２０からの統計的な処理データのを要求内容判別手段２３２により判別して、当該要求の内容に応じて情報蓄積手段２３３に蓄積されている付加情報を統計処理する。統計処理して得た処理データは、インタネット３９０を介して中継装置２１５の送受信手段２１６に転送される。送受信手段２１６に送られた処理データは、アクセス端末１２０の読込手段１２３により読み込まれ、表示手段１２４に表示されることで、その図書がどのような年代の人に多く読まれているかといった統計的な処理データを知ることが可能となる。
【００３２】
以上のようにこの発明によれば、実施の形態２で述べた効果に加えて、中継装置２１５とＰＣサーバ２３０間のデータの送受信にインタネット３９０を利用することで高価な専用線ネットワークを独自に構築することなく全体を安価にすることができる。
【００３３】
実施の形態４．
図９は、実施の形態４である図書情報処理装置の構成を示す構成図である。図９において、図書情報処理装置４００は、ＩＣチップ４１０、アクセス端末１２０、ＰＣサーバ４３０を有する。ＩＣチップ４１０は、図書ＩＤ情報管理装置２１１と中継装置４１５を有する。中継装置４１５は、送受信手段２１６と暗号化・復号化手段４１８を有する。ＰＣサーバ４３０には、暗号化・復号化手段４３１が設けられている。中継装置４１５の暗号化・復号化手段４１８はインタネット３９０を介してＰＣサーバ４３０の暗号化・復号化手段４３１に接続されている。その他の構成については、図４に示した実施の形態２と同様のものであるので、相当するものに同じ符号を付して説明を省略する。
【００３４】
動作については、図８に示した実施の形態と同様であるが、次の点が異なる。中継装置２１５の送受信手段２１６とＰＣサーバ４３０の送受信手段２３１との間で授受されるデータは、相互に設けた暗号化・復号化手段４１８及び暗号化・復号化手段４３１により暗号化されて送信及び受信が行われ、また受信後暗号化・復号化手段４１８、暗号化・復号化手段４３１により復号化される。
【００３５】
以上のようにこの発明によれば、実施の形態２及び３で述べた効果に加えて、中継装置４１５の暗号化・復号化手段４１８とＰＣサーバ４３０の暗号化・復号化手段４３１間のデータの送受信にインタネット３９０を利用することで高価な専用線ネットワークを独自に構築することなく安価に全体を構成することが可能となり、またデータの送受信に際して暗号化・復号化処理を行うことで情報が漏洩する危険を低減することができる。
【００３６】
実施の形態５．
図１０は、実施の形態５である図書情報処理装置の構成を示す構成図である。図１０において、図書情報処理装置５００は、ＩＣチップ５１０、携帯端末５２０、ＰＣサーバ４３０を有する。ＩＣチップ５１０は、同様にＲＦタグで構成され、図書ＩＤ情報保持手段２１２を有する。なお、これに限られるものではないが、図書識別情報の書き換えや読込（取得）に便益性が高いので、この実施の形態においてはＩＣチップ５１０（ＲＦタグ）を用いている。携帯端末５２０は入力手段１２１、表示手段１２４、図書ＩＤ情報取得手段２１３、中継装置４１５（送受信手段２１６、暗号化・復号化手段４１８）を有し、これらが一体に組み込まれている。その他の構成については、図４に示した実施の形態２と同様のものであるので、相当するものに同じ符号を付して説明を省略する。
【００３７】
この実施の形態においては、携帯端末５２０とＰＣサーバ４３０とは、インタネット３９０を通じて情報のやりとりを行う。携帯端末５２０とＰＣサーバ４３０との間で、暗号化・復号化手段４１８及び暗号化・復号化手段４３１により図書の付加情報の書込・読込要求や付加情報を暗号化してインタネット３９０を通じて送受信し、復号化することでＰＣサーバ２３０に付加情報を記録したり、蓄積されている付加情報にアクセスしたりすることができる。
【００３８】
また、暗号化・復号化手段４１８及び暗号化・復号化手段４３１により携帯端末５２０からの付加情報の統計的な処理データの要求を暗号化してインタネット３９０を通じて送信する。また、情報蓄積手段２３３に蓄積されている付加情報を統計処理手段２３４を用いて処理した処理データを、暗号化・復号化手段４３１により暗号化し、インタネット３９０を通じて送信し、暗号化・復号化手段４１８により復号化する。
【００３９】
なお、入力手段１２１から当該図書に関する付加情報の書込・読込要求や統計処理データの要求が入力されたとき、図書ＩＤ情報取得手段２１３が図書ＩＤ情報保持手段２１２から当該図書の図書ＩＤ情報を取得して、この図書ＩＤ情報を上記付加情報の書込・読込要求や統計処理データの要求に付加してＰＣサーバ４３０に送る。その他の動作については、図８や図９に示したものと同様である。
【００４０】
この実施の形態によれば、実施の形態２ないし４で述べた効果に加えて、携帯端末５２０を用いることで簡易な構成とすることができ、専用端末を設置せずに装置を容易に構成することが可能となる。
【００４１】
なお、上記各実施の形態における構成要素とこの発明における構成要素との対応関係を、「：」の左方に各実施の形態における構成要素、右方にこの発明における構成要素を対応させて示すと、次の通りである。
ＩＣチップ１１０，２１０，４１０：図書付設付加情報記憶取出装置、情報蓄積手段１１１：付加情報記憶手段及び付加情報取出手段、アクセス端末１２０：図書情報入力参照装置、入力手段１２１：入力手段及び付加情報入力手段、読込手段１２３：情報送信要求手段、ＰＣサーバ２３０，４３０：図書付加情報記憶装置、図書ＩＤ情報保持手段２１２：図書識別情報保持手段、図書ＩＤ情報取得手段２１３：図書識別情報取得手段、中継装置２１５：中継手段、送受信手段２１６，２３１：通信手段、要求内容判別手段２３２：付加情報取出手段、情報蓄積手段２３３：付加情報記憶手段、統計処理手段２３４：情報処理手段、暗号化・復号化手段４１８，４３１：暗号化復号化手段、携帯端末５２０：図書情報入力参照装置。
【図面の簡単な説明】
【００４２】
【図１】この発明の実施の形態１である図書情報処理装置の構成を示す構成図である。
【図２】図１の図書情報処理装置の動作を説明するためのフローチャートである。
【図３】図１の図書情報処理装置の動作を説明するためのフローチャートである。
【図４】この発明の実施の形態２である図書情報処理装置の構成を示す構成図である。
【図５】図４の図書情報処理装置の動作を説明するためのフローチャートである。
【図６】図４の図書情報処理装置の動作を説明するためのフローチャートである。
【図７】図４の図書情報処理装置の動作を説明するためのフローチャートである。
【図８】この発明の実施の形態３である図書情報処理装置の構成を示す構成図である。
【図９】この発明の実施の形態４である図書情報処理装置の構成を示す構成図である。
【図１０】この発明の実施の形態５である図書情報処理装置の構成を示す構成図である。
【符号の説明】
【００４３】
１００，２００，３００，４００，５００  図書情報処理装置、
１１０，２１０，４１０  ＩＣチップ、１１１  情報蓄積手段、１２０  アクセス端末、
１２１  入力手段、１２３  読込手段、２３０，４３０  ＰＣサーバ、
２１２  図書ＩＤ情報保持手段、２１３  図書ＩＤ情報取得手段、
２１５，４１５  中継装置、２１６，２３１  送受信手段、２３２  要求内容判別手段、
２３３  情報蓄積手段、２３４  統計処理手段、３９０  インタネット、
４１８  暗号化・復号化手段、４３１  暗号化・復号化手段、５２０  携帯端末。
【図１】
2006293872.tif 000003
【図２】
2006293872.tif 000004
【図３】
2006293872.tif 000005
【図４】
2006293872.tif 000006
【図５】
2006293872.tif 000007
【図６】
2006293872.tif 000008
【図７】
2006293872.tif 000009
【図８】
2006293872.tif 000010
【図９】
2006293872.tif 000011
【図１０】
2006293872.tif 000012